(57)【要約】【課題】  本発明の目的は、リード同士の接触を防止することにある。【解決手段】  複数のリードは、２つ又はそれ以上の第１のリード２２からそれぞれ構成される複数のリードグループＧと、複数の第２のリード２４と、を含む。それぞれの第２のリード２４は、隣同士の一対のリードグループＧの間に位置する。それぞれのリードグループＧの最も離れた一対の第１のリード２２は、それぞれ、相互間に第１の間隔Ｄ１をあけて位置する第１の部分２６と、第１の間隔Ｄ１よりも小さい第２の間隔Ｄ２をあけて位置する第２の部分２８と、を含む。それぞれの第２のリード２４は、隣同士の一対のリードグループＧの第１の部分２６同士に挟まれた領域３０を避けて配置され、隣同士の一対のリードグループの第２の部分２８同士に挟まれた領域３２に配置される部分を有する。【選択図】        図２
2005159235.tif 000002
【特許請求の範囲】
【請求項１】
複数のリードが形成されてなる基板と、
複数の電極を有し、前記リードと前記電極が対向するとともに電気的に接続されるように前記基板に搭載されてなる半導体チップと、
を有し、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する半導体装置。
【請求項２】
請求項１記載の半導体装置において、
隣同士の一対の前記第２のリードは、１つの前記リードグループを挟むように配置され、
それぞれの前記リードグループの最も離れた一対の前記第１のリードは、前記第１の間隔が、前記隣同士の一対の前記第２のリードの間隔以上になるように形成されてなる半導体装置。
【請求項３】
請求項１又は請求項２記載の半導体装置において、
前記複数のリードグループは、第１のリードグループと、第２のリードグループと、を含み、
前記第２のリードは、先端が１つの直線を超えないように形成され、
前記第１のリードグループの最も離れた一対の前記第１のリードの前記第１の部分は、前記第２のリードグループの最も離れた一対の前記第１のリードの前記第１の部分よりも、前記直線に近い位置に配置されてなる半導体装置。
【請求項４】
請求項１から請求項３のいずれかに記載の半導体装置において、
それぞれの前記リードグループは、３つ以上の前記第１のリードを含み、
それぞれの前記リードグループの最も離れた一対の前記第１のリードは、前記最も離れた一対の前記第１のリードに挟まれた残りの前記第１のリードとは長さが異なる半導体装置。
【請求項５】
請求項１から請求項４のいずれかに記載の半導体装置が取り付けられてなる電子モジュール。
【請求項６】
請求項１から請求項４のいずれかに記載の半導体装置を有する電子機器。
【請求項７】
基板と、
前記基板に形成されてなる複数のリードと、
を有し、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する配線基板。
【請求項８】
請求項７記載の配線基板において、
隣同士の一対の前記第２のリードは、１つの前記リードグループを挟むように配置され、
それぞれの前記リードグループの最も離れた一対の前記第１のリードは、前記第１の間隔が、前記隣同士の一対の前記第２のリードの間隔以上になるように形成されてなる配線基板。
【請求項９】
請求項７又は請求項８記載の配線基板において、
前記複数のリードグループは、第１のリードグループと、第２のリードグループと、を含み、
前記第２のリードは、先端が１つの直線を超えないように形成され、
前記第１のリードグループの最も離れた一対の前記第１のリードの前記第１の部分は、前記第２のリードグループの最も離れた一対の前記第１のリードの前記第１の部分よりも、前記直線に近い位置に配置されてなる配線基板。
【請求項１０】
請求項７から請求項９のいずれかに記載の配線基板において、
それぞれの前記リードグループは、３つ以上の前記第１のリードを含み、
それぞれの前記リードグループの最も離れた一対の前記第１のリードは、前記最も離れた一対の前記第１のリードに挟まれた残りの前記第１のリードとは長さが異なる配線基板。
【請求項１１】
複数の電極を有する半導体チップを、複数のリードが形成された基板に、前記電極が前記リードに対向するように搭載すること、及び、
前記電極と前記リードを接合すること、
を含み、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する半導体装置の製造方法。
【発明の詳細な説明】
【技術分野】
【０００１】
本発明は、半導体装置及びその製造方法、配線基板、電子モジュール並びに電子機器に関する。
【背景技術】
【０００２】
ＣＯＦ（Chip On Film）などの実装形態では、半導体チップの電極にリードが電気的に接合されている。近年、電極のピッチが狭くなってきており、これに対応してリードのピッチを狭くしなければならない。しかしながら、電極との接合部付近でリードが変形しやすいことを考慮すると、狭ピッチ化には限界があり、リード同士が接触しないようにすることが難しかった。
【特許文献１】特開平７−２３５５６４号公報
【特許文献２】特開平７−２７３１１９号公報
【発明の開示】
【発明が解決しようとする課題】
【０００３】
本発明の目的は、リード同士の接触を防止することにある。
【課題を解決するための手段】
【０００４】
（１）本発明に係る半導体装置は、複数のリードが形成されてなる基板と、
複数の電極を有し、前記リードと前記電極が対向するとともに電気的に接続されるように前記基板に搭載されてなる半導体チップと、
を有し、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する。本発明によれば、リードグループの最も離れた一対の第１のリードの第２の部分は、比較的小さい間隔で配置されている。したがって、隣同士のリードグループの第２の部分同士の間には、比較的広い間隔の領域が確保される。この領域に第２のリードが配置されるので、第１及び第２のリードの接触を避けることができる。
（２）この半導体装置において、
隣同士の一対の前記第２のリードは、１つの前記リードグループを挟むように配置され、
それぞれの前記リードグループの最も離れた一対の前記第１のリードは、前記第１の間隔が、前記隣同士の一対の前記第２のリードの間隔以上になるように形成されていてもよい。
（３）この半導体装置において、
前記複数のリードグループは、第１のリードグループと、第２のリードグループと、を含み、
前記第２のリードは、先端が１つの直線を超えないように形成され、
前記第１のリードグループの最も離れた一対の前記第１のリードの前記第１の部分は、前記第２のリードグループの最も離れた一対の前記第１のリードの前記第１の部分よりも、前記直線に近い位置に配置されていてもよい。
（４）この半導体装置において、
それぞれの前記リードグループは、３つ以上の前記第１のリードを含み、
それぞれの前記リードグループの最も離れた一対の前記第１のリードは、前記最も離れた一対の前記第１のリードに挟まれた残りの前記第１のリードとは長さが異なっていてもよい。
（５）本発明に係る電子モジュールは、上記半導体装置が取り付けられてなる。
（６）本発明に係る電子機器は、上記半導体装置を有する。
（７）本発明に係る配線基板は、基板と、
前記基板に形成されてなる複数のリードと、
を有し、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する。本発明によれば、リードグループの最も離れた一対の第１のリードの第２の部分は、比較的小さい間隔で配置されている。したがって、隣同士のリードグループの第２の部分同士の間には、比較的広い間隔の領域が確保される。この領域に第２のリードが配置されるので、第１及び第２のリードの接触を避けることができる。
（８）この配線基板において、
隣同士の一対の前記第２のリードは、１つの前記リードグループを挟むように配置され、
それぞれの前記リードグループの最も離れた一対の前記第１のリードは、前記第１の間隔が、前記隣同士の一対の前記第２のリードの間隔以上になるように形成されていてもよい。
（９）この配線基板において、
前記複数のリードグループは、第１のリードグループと、第２のリードグループと、を含み、
前記第２のリードは、先端が１つの直線を超えないように形成され、
前記第１のリードグループの最も離れた一対の前記第１のリードの前記第１の部分は、前記第２のリードグループの最も離れた一対の前記第１のリードの前記第１の部分よりも、前記直線に近い位置に配置されていてもよい。
（１０）この配線基板において、
それぞれの前記リードグループは、３つ以上の前記第１のリードを含み、
それぞれの前記リードグループの最も離れた一対の前記第１のリードは、前記最も離れた一対の前記第１のリードに挟まれた残りの前記第１のリードとは長さが異なっていてもよい。
（１１）本発明に係る半導体装置の製造方法は、複数の電極を有する半導体チップを、複数のリードが形成された基板に、前記電極が前記リードに対向するように搭載すること、及び、
前記電極と前記リードを接合すること、
を含み、
前記複数のリードは、２つ又はそれ以上の第１のリードからそれぞれ構成される複数のリードグループと、複数の第２のリードと、を含み、
それぞれの前記第２のリードは、隣同士の一対の前記リードグループの間に位置し、
それぞれの前記リードグループの最も離れた一対の前記第１のリードは、それぞれ、相互間に第１の間隔をあけて位置する第１の部分と、前記第１の間隔よりも小さい第２の間隔をあけて位置する第２の部分と、を含み、
それぞれの前記第２のリードは、隣同士の一対の前記リードグループの前記第１の部分同士に挟まれた領域を避けて配置され、隣同士の一対の前記リードグループの前記第２の部分同士に挟まれた領域に配置される部分を有する。本発明によれば、リードグループの最も離れた一対の第１のリードの第２の部分は、比較的小さい間隔で配置されている。したがって、隣同士のリードグループの第２の部分同士の間には、比較的広い間隔の領域が確保される。この領域に第２のリードが配置されるので、第１及び第２のリードの接触を避けることができる。
【発明を実施するための最良の形態】
【０００５】
以下、本発明の実施の形態を、図面を参照して説明する。
【０００６】
（第１の実施の形態）
図１は、本発明の第１の実施の形態に係る半導体装置を説明する図である。図２は、図１に示す半導体装置の一点鎖線で囲んだ部分の拡大図であり、図３は、図２に示すもののIII-III線断面図である。
【０００７】
半導体装置は、半導体チップ１０を有する。半導体チップ１０は、長方形の面を有する形状（直方体）であってもよい。半導体チップ１０には集積回路１２が形成されている。集積回路１２を覆うように、図示しないパッシベーション膜（電気的絶縁膜）が形成されていてもよい。
【０００８】
半導体チップ１０は、第１の直線Ｌ１に沿って並ぶ電極１４を有する。電極１４は一列に並んでいる。第１の直線Ｌ１は、半導体チップ１０の縁（例えば長方形の面の長辺）に平行な直線であってもよい。電極１４は、第１の直線Ｌ１によって区画される一対の領域のうち、半導体チップ１０の中央に近い側に配列されていてもよい。電極１４は、不均等なピッチで配列されていてもよい。例えば、図２に示すように、電極１４を、隣同士の電極のピッチがＰ１，Ｐ２（Ｐ１＜Ｐ２）となるように配列してもよい。電極１４を２つ以上（図２では２つ）の電極ごとに区分けしたときに、区分けされた２つ以上の電極１４のピッチがＰ１であり、区分けされた２つ以上の電極１４とその隣の電極１４とのピッチがＰ２である。
【０００９】
半導体チップ１０は、第２の直線Ｌ２に沿って並ぶ電極１６を有する。電極１６は一列に並んでいる。第２の直線Ｌ２は、半導体チップ１０の縁（例えば長方形の面の長辺）に平行な直線であってもよい。第２の直線Ｌ２は、第１の直線Ｌ１よりも半導体チップ１０の端部近くに位置するものであってもよい。電極１６は、第２の直線Ｌ２と半導体チップ１０の縁との間に配列されていてもよい。電極１６は、等ピッチで配列されていてもよい。
【００１０】
第１及び第２の直線Ｌ１，Ｌ２は平行に延びている。電極１４，１６は、第１及び第２の直線Ｌ１，Ｌ２間の領域１８を挟む両側にそれぞれ配置されている。電極１４，１６は、パッド及びその上に設けられたバンプであってもよく、金や銅などの金属で形成されていてもよい。電極１４，１６は、半導体チップ１０の内部に電気的に接続されており、電極１４，１６のうち２つ以上の電極（全ての電極又は全てではないが複数の電極）は、集積回路１２に電気的に接続されている。電極１４，１６は、図示しないパッシベーション膜から露出するように形成されていてもよい。
【００１１】
半導体装置は、基板２０を有する。基板２０は、フィルムやプレートであってもよい。基板２０は、半導体チップ１０よりも熱膨張率（例えば線膨張率）が大きい材料で形成されている。基板２０は、半導体チップ１０よりも熱伝導率が低いなどの理由で、放熱性が低くてもよい。基板２０は、ポリイミド樹脂などの樹脂で形成されていてもよいし、樹脂などの有機材料及び無機材料の混合材料で形成されてもよい。
【００１２】
基板２０に半導体チップ１０が搭載されている。半導体チップ１０の実装形態は、ＣＯＦ（Chip On Film）であってもよい。半導体チップ１０の電極１４，１６を有する面が基板２０に対向している。
【００１３】
基板２０には、複数のリード（複数の第１及び第２のリード２２，２４を含む。）が形成されてなる。第１及び第２のリード２２，２４（その一部分）は、それぞれ、電極１４，１６（その一部分）と対向しており、接合されていてもよい。接合とは、両者の材料からなる金属共晶を形成する接合のみならず、両者間に導電粒子が介在する接合も含む。
【００１４】
第１のリード２２は、電極１４が並ぶ基準となる第１の直線Ｌ１に交差（例えば直交）するように延びている。第１のリード２２は、第２の直線Ｌ２に近づく方向に、電極１４から引き出され、第２の直線Ｌ２と交差している。第１のリード２２は、第１及び第２の直線Ｌ１，Ｌ２間の領域１８で屈曲するように形成されている。ここで、屈曲とは角を有しないように曲がった形状であってもよい。角を有しないことによって、第１のリード２２は、変形しても応力が局部的に集中しないので断線しにくくなっている。第１のリード２２は、第１及び第２の直線Ｌ１，Ｌ２間の領域１８内の部分を除き、設計上（電極１４との接合前に）、直線状（屈曲しないよう）に形成されていてもよい。
【００１５】
２つ又はそれ以上の第１のリード２２によって、１つのリードグループＧが構成され、複数の第１のリード２２は、複数のリードグループＧに分けることができる。それぞれのリードグループＧの最も離れた一対の第１のリード２２（図２の例では両方の第１のリード２２）は、それぞれ、相互間に第１の間隔Ｄ１をあけて位置する第１の部分２６を含み、さらに、第２の間隔Ｄ２をあけて位置する第２の部分２８を含む。第２の間隔Ｄ２は、第１の間隔Ｄ１よりも小さい。
【００１６】
第２のリード２４は、電極１６が並ぶ基準となる第２の直線Ｌ２に交差（例えば直交）する方向に延びている。第２のリード２４は、電極１４（あるいは第１の直線Ｌ１）から離れる方向に引き出されている。
【００１７】
第２のリード２４は、隣同士の一対のリードグループＧの間に位置する。各第２のリード２４は、隣同士の一対のリードグループＧの第１の部分２６同士に挟まれた領域３０を避けて配置されている。各第２のリード２４（その全体又は一部）は、隣同士の一対のリードグループＧの第２の部分２８同士に挟まれた領域３２に配置されている。
【００１８】
図２に示すように、１つのリードグループＧにおいて、一対の第１の部分２６が比較的広い第１の間隔Ｄ１（Ｄ２＜Ｄ１）をあけて配置されている。したがって、隣同士の一対のリードグループＧの間の領域３０は、領域３２と比較して狭くなっている。一方、１つのリードグループＧにおいて、一対の第２の部分２８が比較的狭い第２の間隔Ｄ２（Ｄ２＜Ｄ１）をあけて配置されている。したがって、隣同士の一対のリードグループＧの間の領域３２は、領域３０と比較して広くなっている。本実施の形態によれば、比較的広い領域３２に第２のリード２４が配置されるので、第１及び第２のリード２２，２４の接触を避けることができる。
【００１９】
図２において、第２のリード２４の右隣に、第１のリード２２が、領域１８で、半導体チップ１０の右方向（図１参照）に屈曲して引き出されている。一般化して言うと、第２のリード２４の隣（第１及び第２の直線Ｌ１，Ｌ２に沿った方向の半導体チップ１０の両端部のうち近い方の端部方向の隣）に、第１のリード２２が、第１及び第２の直線Ｌ１，Ｌ２間の領域１８で、半導体チップ１０の近い方の端部方向に屈曲して引き出されている。１つのリードグループＧにおいて、２つ又はそれ以上の第１のリード２２のうち最も離れた一対のリード（図２の例では両方の第１のリード２２）は、第１及び第２の直線Ｌ１，Ｌ２間の領域１８で、相互に接近する方向に屈曲して引き出されている。
【００２０】
第１及び第２のリード２２，２４の少なくとも一方は、銅などの金属で形成されている。第１のリード２２（又は第２のリード２４）の、全体が基板２０に付着していてもよいし、少なくとも半導体チップ１０とオーバーラップする部分が基板２０に付着してもよい。付着とは、接着剤を介する貼り付けのみならず、基板２０に直接密着することも含む。
【００２１】
図３に示すように、半導体チップ１０と基板２０との間には樹脂（アンダーフィル材又は接着剤）３４が設けられてもよい。樹脂３４は、収縮力によって電極１４，１６及び第１及び第２のリード２２，２４を相互に圧接させてもよい。樹脂３４は、半導体チップ１０と基板２０との間で、両者の熱膨張率の差によって生じる応力を分散又は吸収するものであってもよい。第１のリード２２が、角を有しないように曲がっていれば、樹脂３４を設けるときに、その前駆体（液体又はペースト）の流動性又は充填性がよい。
【００２２】
本実施の形態に係る配線基板は、基板２０とリード（第１及び第２のリード２２，２４）を含む。これらの詳細は、上述した通りである。
【００２３】
本実施の形態に係る半導体装置の製造方法は、上述した半導体チップ１０を、上述した基板２０に搭載することを含む。また、電極１４，１６と第１及び第２のリード２２，２４を接合する。半導体装置の製造方法は、上述した半導体装置の説明から導き出すことができるプロセスを含んでもよい。
【００２４】
図４は、本実施の形態に係る半導体装置の変形例を説明する図である。本変形例では、２つを超える（図４では３つの）第１リード２２，４０によってリードグループＧが構成されている。１つのリードグループＧにおいて、２つ又はそれ以上の第１のリード２２、４０のうち最も離れた一対のリード（図４の例では両方の第１のリード２２）を除くリード（例えば中央に位置する第１のリード４０）は、真っ直ぐに延びるものであってもよい。これ以外の点について、本変形例に係る半導体装置及びその製造方法並びに配線基板には、上述した実施の形態で説明した内容が該当する。
【００２５】
図５は、本実施の形態に係る半導体装置の他の変形例を説明する図である。本変形例では、２つを超える（図５では３つの）第１リード２２，４２によってリードグループＧが構成されている。１つのリードグループＧにおいて、２つ又はそれ以上の第１のリード２２、４２のうち最も離れた一対のリード（図５の例では両方の第１のリード２２）を除くリード（例えば中央に位置する第１のリード４２）は、真っ直ぐに延びるものであってもよい。第１リード２２，４２は長さが異なっている。１つのリードグループＧにおいて、２つ又はそれ以上の第１のリード２２、４２のうち最も離れた一対のリード（図５の例では両方の第１のリード２２）は、これらを除くリード（例えば中央に位置する第１のリード４２）とは長さが異なる。例えば、第１のリード４２は、第１のリード２２よりも長くてもよい。この場合、長い第１のリード４２に対応して、複数の電極１４の並びとは別に、複数の電極４４が並んでいてもよい。これ以外の点について、本変形例に係る半導体装置及びその製造方法並びに配線基板には、上述した実施の形態及び変形例で説明した内容が該当する。
【００２６】
（第２の実施の形態）
図６は、本発明の第２の実施の形態に係る半導体装置を説明する図である。本実施の形態では、第１の実施の形態で使用した用語と同じ用語（符号を除く）には、同じ内容が該当する。本実施の形態では、隣同士の一対の第２のリード５０は、１つのリードグループＧを挟むように配置されている。それぞれのリードグループＧにおいて、最も離れた一対の第１のリード５２は、第１の間隔Ｄ１１が、１つのリードグループＧを挟む一対の第２のリード５０の間隔Ｄ２２以上（Ｄ２２≦Ｄ１１）になるように形成されている。これ以外の点について、本実施の形態に係る半導体装置及びその製造方法並びに配線基板には、第１の実施の形態及びその変形例で説明した内容が該当する。
【００２７】
図７は、本実施の形態に係る半導体装置の変形例を説明する図である。本変形例では、２つを超える（図７では３つの）第１リード５２，５４によってリードグループＧが構成されている。１つのリードグループＧにおいて、２つ又はそれ以上の第１のリード５２、５４のうち最も離れた一対のリード（図７の例では両方の第１のリード５２）を除くリード（例えば中央に位置する第１のリード５２）は、真っ直ぐに延びるものであってもよい。これ以外の点について、本変形例に係る半導体装置及びその製造方法並びに配線基板には、第２の実施の形態で説明した内容が該当する。
【００２８】
（第３の実施の形態）
図８は、本発明の第３の実施の形態に係る半導体装置を説明する図である。本実施の形態では、第１の実施の形態で使用した用語と同じ用語（符号を除く）には、同じ内容が該当する。本実施の形態で、複数のリードグループは、第１のリードグループＧ１と、第２のリードグループＧ２と、を含む。第１及び第２のリードグループＧ１，Ｇ２は交互に配置されている。すなわち、１つの第１のリードグループＧ１を挟むように一対の第２のリードグループＧ２が配置され、１つの第２のリードグループＧ２を挟むように一対の第１のリードグループＧ１が配置されている。
【００２９】
本実施の形態では、第２のリードと対向して電気的に接続される電極６２よりも、半導体チップ６４の縁から遠くなるように位置する直線Ｌを引く。第２のリード６０は、先端（複数の先端のうち電極（対向して電気的に接続される電極）６２に最も近い先端）が、直線Ｌを超えないように（直線Ｌよりも半導体チップ６４の縁に近い位置に）配置されている。
【００３０】
第１のリードグループＧ１の最も離れた一対の第１のリード７０の第１の部分７２（そのうち直線Ｌから最も遠い部分）は、第２のリードグループＧ２の最も離れた一対の第１のリード８０の第１の部分８２（そのうち直線Ｌから最も遠い部分）よりも、直線Ｌに近い位置に配置されている。
【００３１】
第１のリードグループＧ１の全ての第１のリード７０の第１の部分７２（そのうち直線Ｌから最も遠い部分）が、第２のリードグループＧ２の全ての第１のリード８０の第１の部分８２（そのうち直線Ｌから最も遠い部分）よりも、直線Ｌに近い位置に配置されていてもよい。これ以外の点について、本変形例に係る半導体装置及びその製造方法並びに配線基板には、第２の実施の形態で説明した内容が該当する。
【００３２】
（その他の実施の形態）
図９には、上述した実施の形態で説明した半導体装置１が取り付けられた電子モジュール（例えば液晶モジュール）１０００が示されている。この半導体装置を有する電子機器として、図１０にはノート型パーソナルコンピュータ２０００が示され、図１１には携帯電話３０００が示されている。
【００３３】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。さらに、本発明は、実施の形態で説明した技術的事項のいずれかを限定的に除外した内容を含む。あるいは、本発明は、上述した実施の形態から公知技術を限定的に除外した内容を含む。
【図面の簡単な説明】
【００３４】
【図１】図１は、本発明の第１の実施の形態に係る半導体装置を説明する図である。
【図２】図２は、図１に示す半導体装置の一点鎖線で囲んだ部分の拡大図である。
【図３】図３は、図２に示すもののIII-III線断面図である。
【図４】図４は、第１の実施の形態に係る半導体装置の変形例を説明する図である。
【図５】図５は、第１の実施の形態に係る半導体装置の他の変形例を説明する図である。
【図６】図６は、本発明の第２の実施の形態に係る半導体装置を説明する図である。
【図７】図７は、第２の実施の形態に係る半導体装置の変形例を説明する図である。
【図８】図８は、本発明の第３の実施の形態に係る半導体装置を説明する図である。
【図９】図９は、本実施の形態に係る半導体装置が取り付けられた電子モジュールを示す図である。
【図１０】図１０は、本実施の形態に係る半導体装置を有する電子機器を示す図である。
【図１１】図１１は、本実施の形態に係る半導体装置を有する電子機器を示す図である。
【符号の説明】
【００３５】
１０…半導体チップ  １２…集積回路  １４…電極  １６…電極  １８…領域  ２０…基板  ２２…第１のリード  ２４…第２のリード  ２６…第１の部分  ２８…第２の部分  ３０…領域  ３２…領域  ３４…樹脂  ４０…第１のリード  ４２…第１のリード  ４４…電極  ５０…第２のリード  ５２…第１のリード  ５４…第１のリード  ６０…第２のリード  ６２…電極  ６４…半導体チップ  ７０…第１のリード  ７２…第１の部分  ８０…第１のリード  ８２…第１の部分
【図１】
2005159235.tif 000003
【図２】
2005159235.tif 000004
【図３】
2005159235.tif 000005
【図４】
2005159235.tif 000006
【図５】
2005159235.tif 000007
【図６】
2005159235.tif 000008
【図７】
2005159235.tif 000009
【図８】
2005159235.tif 000010
【図９】
2005159235.tif 000011
【図１０】
2005159235.tif 000012
【図１１】
2005159235.tif 000013